(57)【要約】【課題】  集合住宅において、各世帯が戸別に、自転車置き場や物置などとして使用することのできる多目的収納庫を提供する。【解決手段】  集合住宅において、各世帯別に、自転車置き場や物置などとして使用することのできるもので、世帯別に分けられた戸別地面１０の一方側端部に垂直に立設された柱２０と、柱２０の上端部に前後水平方向に設けられた断面略Ｕ字状の固定フレーム３０と、固定フレーム３０に対して前後方向にスライド自在で断面略Ｕ字状のスライド本体部４１の左右側上方に、複数の連結片４３を介して、物Ｇを置くための天板部４２を設けたスライドラック４０と、固定フレーム３０とスライドラック４０との間に架設され、後方に引き出された前記スライドラック４０を持ち上げて前方に押し戻す際の操作力を補助する補助機構５０と、で構成する。【選択図】      図１
0003129198.tif 000002
【実用新案登録請求の範囲】
【請求項１】
マンションなどの集合住宅において，各世帯が戸別に，自転車置き場や物置などとして使用することのできる多目的収納庫であって、少なくとも，世帯別に分けられ，一台または複数台の自転車（Ｂ）を置くことのできる広さの戸別地面（１０）の一方側端部に垂直に立設され，ほぼ自転車の高さを有する柱（２０）と、前記柱の上端部に前後水平方向に設けられた断面略Ｕ字状の固定フレーム（３０）と、前記固定フレームに上から嵌挿され，前後方向にスライド自在で断面略Ｕ字状のスライド本体部（４１）の左右側上方に，該スライド本体部の左右上端部から略等間隔で立設された複数の連結片（４３）を介して，物（Ｇ）を置くための天板部（４２）を設け，該天板部の外周に沿ってフェンス（４４）を立設し，後方に引き出された際に回動して，後端部が前記戸別地面に接地するスライドラック（４０）と、前記固定フレームとスライドラックとの間に架設され，後方に引き出された前記スライドラックを持ち上げて前方に押し戻す際の操作力を補助する補助機構（５０）と、を備えてなる世帯別多目的収納庫。
【請求項２】
マンションなどの集合住宅において，各世帯が戸別に，自転車置き場や物置などとして使用することのできる多目的収納庫であって、少なくとも，世帯別に分けられ，一台または複数台の自転車（Ｂ）を置くことのできる広さの戸別地面（１０）の一方側端部に垂直に立設され，ほぼ自転車の高さを有する柱（２０）と、前記柱の上端部に前後水平方向に設けられた断面略Ｕ字状の固定フレーム（３０）と、前記固定フレームに上から嵌挿され，前後方向にスライド自在で断面略Ｕ字状のスライド本体部（４１）の左右側上方に，該スライド本体部の左右上端部から略等間隔で立設された複数の連結片（４３）を介して，物（Ｇ）を置くための天板部（４２）を設け，該天板部の外周に沿ってフェンス（４４）を立設し，後方に引き出された際に回動して，後端部が前記戸別地面に接地するスライドラック（４０）と、前記固定フレームとスライドラックとの間に架設され，後方に引き出された前記スライドラックを持ち上げて前方に押し戻す際の操作力を補助する補助機構（５０）と、前記戸別地面の前端部に，ほぼ自転車の高さで水平に設けられた棚部（６０）と、前記棚部の直下に，左右水平方向に横設されたパイプ部（７０）と、を備えてなる世帯別多目的収納庫。
【考案の詳細な説明】
【技術分野】
【０００１】
本考案は、マンションなどの集合住宅において、各世帯が戸別に、自転車置き場や物置などとして使用することのできる多目的収納庫に関するものである。
【背景技術】
【０００２】
マンションなどの集合住宅においては、一般に、所定の場所を自転車置き場として提供し、住人はそれぞれの自転車を当該自転車置き場の適当な場所に置いている。
【０００３】
こうした自転車置き場は、通常、住人以外も使用できるので、そのままにしておくと所有者の不明な自転車で溢れかえってしまう。従って、住人は、自己の自転車を置く場所を、その都度、探す必要が生じてしまい、手間が掛かる。また、管理人は、使用していないと思われる自転車を撤去しようとしても、それが住人のものである可能性もあるため、迅速な対応ができない。
【０００４】
また、こうした集合住宅は、一般に、地上に物置が設けられておらず、また、室内の収納空間も限られているので、あらゆる物が室内を占拠してしまい、住居空間が狭くなり易い。
【０００５】
なお、近年、二台の自転車を上下に置くことのできる二段式サイクルラックが使用されているが、これは自転車を二台しか置くことができず、また、自転車以外の物を収納することはできない。
【考案の開示】
【考案が解決しようとする課題】
【０００６】
上記した自転車置き場の問題は、自転車の所有者が当該集合住宅の住人であるか否かを把握できれば解決することができる。また、収納空間の問題は、室内以外の場所にそうした空間を設けることができれば緩和することができる。
【０００７】
本考案はこうした点に鑑み創案されたもので、マンションなどの集合住宅において、各世帯が戸別に、自転車置き場や物置などとして使用することのできる多目的収納庫を提供することを課題とする。
【課題を解決するための手段】
【０００８】
図１乃至図５を参照しながら説明する。請求項１に記載の世帯別多目的収納庫１は、マンションなどの集合住宅において、各世帯が戸別に、自転車置き場や物置などとして使用することのできるものであって、少なくとも、世帯別に分けられ、一台または複数台の自転車Ｂを置くことのできる広さの戸別地面１０の一方側端部に垂直に立設され、ほぼ自転車Ｂの高さを有する柱２０と、前記柱２０の上端部に前後水平方向に設けられた断面略Ｕ字状の固定フレーム３０と、前記固定フレーム３０に上から嵌挿され、前後方向にスライド自在で断面略Ｕ字状のスライド本体部４１の左右側上方に、当該スライド本体部４１の左右上端部から略等間隔で立設された複数の連結片４３を介して、物Ｇを置くための天板部４２を設け、当該天板部４２の外周に沿ってフェンス４４を立設し、後方に引き出された際に回動して、後端部が前記戸別地面１０に接地するスライドラック４０と、前記固定フレーム３０とスライドラック４０との間に架設され、後方に引き出された前記スライドラック４０を持ち上げて前方に押し戻す際の操作力を補助する補助機構５０と、を備える。
【０００９】
請求項２に記載の世帯別多目的収納庫１は、マンションなどの集合住宅において、各世帯が戸別に、自転車置き場や物置などとして使用することのできるものであって、少なくとも、世帯別に分けられ、一台または複数台の自転車Ｂを置くことのできる広さの戸別地面１０の一方側端部に垂直に立設され、ほぼ自転車Ｂの高さを有する柱２０と、前記柱２０の上端部に前後水平方向に設けられた断面略Ｕ字状の固定フレーム３０と、前記固定フレーム３０に上から嵌挿され、前後方向にスライド自在で断面略Ｕ字状のスライド本体部４１の左右側上方に、当該スライド本体部４１の左右上端部から略等間隔で立設された複数の連結片４３を介して、物Ｇを置くための天板部４２を設け、当該天板部４２の外周に沿ってフェンス４４を立設し、後方に引き出された際に回動して、後端部が前記戸別地面１０に接地するスライドラック４０と、前記固定フレーム３０とスライドラック４０との間に架設され、後方に引き出された前記スライドラック４０を持ち上げて前方に押し戻す際の操作力を補助する補助機構５０と、前記戸別地面１０の前端部に、ほぼ自転車Ｂの高さで水平に設けられた棚部６０と、前記棚部６０の直下に、左右水平方向に横設されたパイプ部７０と、を備える。
【考案の効果】
【００１０】
請求項１に記載の世帯別多目的収納庫１は、マンションなどの集合住宅において、各世帯が戸別に使用するので、住人は自己の駐輪スペースを確保することができ、常に、容易に置くことができる。また、管理人は、各自転車Ｂの所有者を明確に把握することができるので、当該収納庫１以外の場所に置かれた自転車Ｂを、住人のものでないと判断して撤去するなどして、当該集合住宅の周辺を綺麗に保つことができる。
【００１１】
なお、この世帯別多目的収納庫１は、いわゆる一階部分である戸別地面１０に一台または複数台の自転車Ｂを置くことができると共に、二階部分である固定フレーム３０にスライドラック４０を介して一台の自転車Ｂを置くことができるので、限られたスペースに多数の自転車Ｂを置くことができる。
【００１２】
また、この世帯別多目的収納庫１は、戸別地面１０とスライドラック４０の天板部４２に、自転車Ｂを置く代わりに他の物Ｇを置いて物置としても使用することができる。これにより、室内に置いている物Ｇをこの天板部４２に置くことができ、その分、住居空間を広くすることができる。
【００１３】
なお、スライドラック４０によって自転車Ｂを固定フレーム３０の上に容易に収納することができ、補助機構５０によってスライドラック４０を押し戻す際の操作力を軽減することができる。従って、使用性に優れる。
【００１４】
請求項２に記載の世帯別多目的収納庫１は、請求項１に記載の考案と同様に、住人は、自己の自転車Ｂを常に容易に置くことができる。また、管理人は、住人以外の自転車Ｂを容易に把握して撤去等を行うことができる。さらに、自転車以外の物Ｇを置くことができるので、住居空間を広くすることができる。
【００１５】
また、この多目的収納庫１は棚部６０を設けているので、ここに、常時、自転車以外の物Ｇを置くことができる。これにより、住居空間をさらに広くすることができる。
【００１６】
また、パイプ部７０を設けているので、このパイプ部７０と自転車Ｂとをチェーンで繋いで施錠することにより、自転車Ｂの盗難を未然に防止することができる。また、当該パイプに、三輪車Ｃなどを吊り下げて収納することもできる。
【考案を実施するための最良の形態】
【００１７】
本考案に係る世帯別多目的収納庫１に実施形態を、図１乃至図５に示す。これは、マンションなどの集合住宅において、各世帯が戸別に、自転車置き場や物置などとして使用することのできるものであり、柱２０、固定フレーム３０、スライドラック４０、補助機構５０、棚部６０、およびパイプ部７０を備える。
【００１８】
柱２０は、世帯別に分けられ、複数台の自転車Ｂを置くことのできる広さを持つ戸別地面１０の一方側端部に垂直に立設され、ほぼ大人用自転車Ｂの高さを有する。固定フレーム３０は、柱２０の上端部に前後水平方向に設けられた断面略Ｕ字状である。固定フレーム３０の先端部には、スライドラック４０の前進限を決定するストッパー３１を設けている。なお、戸別地面１０には、自転車Ｂの代わりに、あるいは自転車Ｂと共に、物Ｇを置くこともできる。
【００１９】
スライドラック４０は、スライド本体部４１と天板部４２を有する。スライド本体部４１は、固定フレーム３０に上から嵌挿され、前後方向にスライド自在で断面略Ｕ字状である。このスライド移動は、スライド本体部４２の下面に、固定板４８を介して回転自在に設けた回転体４７によって円滑に行なわれる。天板部４２は、スライド本体部４１の左右側上方に、そのスライド本体部４１の左右上端部から略等間隔で立設された複数の連結片４３を介して、物Ｇを置くために設けられたものである。なお、天板部４２の外周に沿ってフェンス４４を立設して、物Ｇが天板部４２から落下するのを防いでいる。
【００２０】
また、このスライドラック４０は、後方に引き出された際に、後端部が戸別地面１０に接地する。この後端部には、接地スタンド４５と、スライドラック４０を持ち上げるための取手４６を設けている。
【００２１】
補助機構５０は、固定フレーム３０とスライドラック４０との間に架設され、後方に引き出されたスライドラック４０を持ち上げて前方に押し戻す際の操作力を補助するものである。本実施形態では、ガススプリングを使用しているが、これに代えて、ステンレス製等のコイルバネやおもり等を使用することができる。
【００２２】
棚部６０は、戸別地面１０の前端部に、ほぼ自転車Ｂの高さで水平に設けられている。そして、パイプ部７０は、棚部６０の直下に、左右水平方向に横設されており、本実施形態では、固定フレーム３０の下端部と、隣接する他の世帯用の固定フレーム３０の下端部との間に架設している。
【００２３】
なお、本実施形態に係る世帯別多目的収納庫１は、柱２０を、固定フレーム３０の先端（通常、この位置に建物の壁２が存在する）から２５０ｍｍ〜５００ｍｍの位置に配置し、従来の二段式サイクルラックの柱より後方に移動させている。また、スライドラック４０の高さも、従来の二段式サイクルラックのもの（１２００ｍｍ程度）より、低くして、１０００ｍｍ程度としている。これにより、スライドラック４０の押し上げ時の操作力を大幅に軽減することができる。
【００２４】
この固定フレーム３０には、２７インチの自転車Ｂを置くことができる。また、天板部４２は、その幅を４００ｍｍ程度とすると共に、その長さを１９００ｍｍ程度し、自転車以外の大きな物Ｇ（通常、２０ｋｇ以下）を容易に置くことができるようにしている（図２および図３に、隣接する収納庫１の天板部４２に物Ｇを置いた状態を示す）。また、天板部４２の周囲に設けたフェンス４４の高さは１００ｍｍ程度とし、天板部４２に置いた物Ｇが落下するのを確実に防止できるようにしている。このフェンス４４には、落下防止用ネット（図示省略）利用時に、ネット周縁に連結したフック（図示省略）を引っ掛けておくこともできる。
【００２５】
また、本実施形態では棚部６０を設けているが、これに代えて枠（図示せず）を設け、スキーなどの長尺物を立てた状態で収納することもできる。
【００２６】
パイプ部７０は、高さ９５０ｍｍ程度の位置に取付け、戸別地面１０に置いた大人用自転車Ｂのハンドルをチェーンによって施錠するほか、フックＦを介して三輪車Ｃや工具などを吊り下げて収納することもできる。
【００２７】
なお、本実施形態に係る多目的収納庫１は、大人用自転車Ｂ、子供用自転車Ｂ、三輪車Ｃなど、最大５台程度の自転車類を収納することができる。
【００２８】
この多目的収納庫１の各部材の形成材料は限定されないが、耐蝕性や充分な強度を確保するために、天板部４２はアルミニウム、パイプ部７０はステンレス、他の部分は鉄材にメッキや塗装を施して構成することができる。
【００２９】
本実施形態に係る世帯別多目的収納庫１は、マンションなどの集合住宅において、各世帯が戸別に使用するので、住人は自己の自転車Ｂを常に容易に置くことができる。また、管理人は、各自転車Ｂの所有者を明確に把握することができるので、当該収納庫１以外の場所に置かれた自転車Ｂを撤去するなどして、当該集合住宅の周辺を綺麗に保つことができる。
【００３０】
また、この世帯別多目的収納庫１は、いわゆる一階部分である戸別地面１０に複数台の自転車Ｂを置くことができると共に、二階部分である固定フレーム３０に一台の自転車Ｂを置くことができる。従って、限られたスペースに多数の自転車Ｂを効果的に置くことができる。
【００３１】
なお、自転車Ｂを固定フレーム３０に載せる場合は、まず、取手４６を引いてスライドラック４０を引張り出し、その後端部の接地スタンド４５を戸別地面１０に接地させる。この状態のスライドラック４０は、その前端部が天板部４２に軸支されているので、傾斜状態にある（図４参照）。
【００３２】
この状態で、自転車Ｂをスライドラック４０に載せた後、スライドラック４０に設けた車輪保持器（図示せず）で車輪を止める。続いて、取手４６を引き上げながらスライドラック４０を前方に押し込む。この際、補助機構５０が作動して当該引き上げおよび押し込み操作力が軽減され、軽い力で操作を完了することができる。なお、自転車Ｂを下ろすには、上述の場合と逆に、取手４６を引き下げることによって行う。
【００３３】
また、この世帯別多目的収納庫１は、戸別地面１０と固定フレーム３０の天板部４２に、自転車Ｂを置く代わりに他の物Ｇを置いて物置としても使用することができる。これにより、室内に収納する物Ｇを少なくすることができるので、住居空間を広くすることができる。また、この多目的収納庫１は棚部６０を設けているので、ここに、常時、自転車以外の物Ｇを置くことができる。これにより、住居空間をさらに広くすることができる。
【図面の簡単な説明】
【００３４】
【図１】本考案に係る世帯別多目的収納庫の実施形態を示す側面図である。
【図２】図１に示す多目的収納庫の正面図である。
【図３】図１に示す多目的収納庫の平面図である。
【図４】図１に示す多目的収納庫において、スライドラックを引き下げた状態を示す側面図である。
【図５】図１に示す多目的収納庫の一部拡大正面図である。
【符号の説明】
【００３５】
１        世帯別多目的収納庫
２        壁
１０      戸別地面
２０      柱
３０      固定フレーム
３１      ストッパー
４０      スライドラック
４１      スライド本体部
４２      天板部
４３      連結片
４４      フェンス
４５      接地スタンド
４６      取手
４７      回転体
４８      固定板
５０      補助機構
６０      棚部
７０      パイプ部
Ｂ        自転車
Ｃ        三輪車
Ｆ        フック
Ｇ        物
【図１】
0003129198.tif 000003
【図２】
0003129198.tif 000004
【図３】
0003129198.tif 000005
【図４】
0003129198.tif 000006
【図５】
0003129198.tif 000007